(57)【特許請求の範囲】
【請求項１】
モータで駆動されるウインドーを有する複数のドアと、前記各ウインドーの開閉を検知するウインドーセンサと、前記各ドアの開閉を検知するドアセンサと、車内に空調空気を送る空調装置とを備えており、
前記空調装置は、空調空気を車内に放出する送風ユニットと、車外からの空気を取り込む外気取り入れ口と、車内の空気を取り込む内気取り入れ口とを備えていて、前記外気取り入れ口と内気取り入れ口とは、互いに連通すると共に前記送風ユニットに開口している構成であって、
前記外気取り入れ口と内気取り入れ口との連通部に、遠隔的に操作できるアクチュエータで駆動される切り換え弁を、前記内気取り入れ口を閉じた外気取り込み姿勢と、外気取り入れ口を閉じた内気取り込み姿勢と、前記外気取り入れ口と内気取り入れ口とを連通させる中間姿勢とに切り換えできるように配置しており、
前記切り換え弁は、前記ウインドーセンサによって全ウインドーの閉じた状態を検知しかつ少なくとも１つのドアが開いた状態をドアセンサで検知すると、外気取り込み姿勢又は内気取り込み姿勢から前記中間姿勢に移行し、全ドアが閉じた状態を各ドアセンサで検知すると、前記切り換え弁が元の姿勢に戻るように制御される、
自動車。
【発明の詳細な説明】
【技術分野】
【０００１】
本願発明は、空調装置を備えた自動車に関するものである。
【背景技術】
【０００２】
自動車は複数のドアを備えているが、各ドアとボデーとの間は高いシール性が確保されていて全ドアを閉じると密閉状態になるため、１つのドアが開いて他のドアが閉じた状態から１つのドアを勢い良く閉じ回動させると、車内の内圧が瞬間的に高くなることにより、ラッチが係合する前に内圧でドアが押し戻される現象が発生して閉じ不良になることがある。
【０００３】
ドアの閉じ不良に気が付いた場合は閉め直すことで対処できるが、一々閉じ直すのは手間であり、人に不快感を与えるおそれがある。他方、閉じ不良に気付かずに半ドアで走行すると重大な事故を引き起こす可能性があり、また、閉じ不良に気付かずに自動車を離れると盗難等の原因になるおそれがある。従って、ドアは勢い良く閉じ回動させても閉じ状態に確実に保持させる必要がある。
【０００４】
ドアが押し戻されるのは車内の空気の逃げ場がなくて内圧が高くなるためであり、そこで本願出願人は、自動車の空調装置が外気取り入れ口と内気取り入れ口とを有している点に着目し、ドアが開いている状態では空調装置を外気取り入れモードに変更することで、ドアの閉じ動に際して空気を外気取り入れ口から車外に逃がしてドアの閉まりを確実化することを提案した。
【先行技術文献】
【特許文献】
【０００５】
【特許文献１】実開昭６１−１３３４１３号のマイクロフィルム
【発明の概要】
【発明が解決しようとする課題】
【０００６】
特許文献１は空調装置をそのまま利用できるためコスト面で優れているが、本願発明者が検討したところ、改良の余地が発見された。例えば、外気取り入れモードでは、車内と外気取り入れ口とは送風ユニットを介して連通するが、送風ユニットにフィルターを配置しているとこれが抵抗になって空気の逃げが悪くなり、効果が低下することがあった。
【０００７】
また、空調装置を運転しているとファンによって空気が車内に放出されているが、ドアの閉まりによる空気流はファンによる空気流に逆らう方向に流れるため、この場合も空気の逃げが不十分になって効果が低下することが懸念される。
【０００８】
本願発明はこのような現状を改善すべく成されたものであり、空調装置を利用してドアの閉じ性を向上させることは特許文献１と共通しつつ、空気の逃げを円滑化してドアの閉まりの確実化を図ることを目的とするものである。
【課題を解決するための手段】
【０００９】
本願発明の自動車は、
モータで駆動されるウインドーを有する複数のドアと、前記各ウインドーの開閉を検知するウインドーセンサと、前記各ドアの開閉を検知するドアセンサと、車内に空調空気を送る空調装置とを備えており、
前記空調装置は、空調空気を車内に放出する送風ユニットと、車外からの空気を取り込む外気取り入れ口と、車内の空気を取り込む内気取り入れ口とを備えていて、前記外気取り入れ口と内気取り入れ口とは、互いに連通すると共に前記送風ユニットに開口している構成であって、
前記外気取り入れ口と内気取り入れ口との連通部に、遠隔的に操作できるアクチュエータで駆動される切り換え弁を、前記内気取り入れ口を閉じた外気取り込み姿勢と、外気取り入れ口を閉じた内気取り込み姿勢と、前記外気取り入れ口と内気取り入れ口とを連通させる中間姿勢とに切り換えできるように配置している。
【００１０】
そして、前記切り換え弁は、前記ウインドーセンサによって全ウインドーの閉じた状態を検知しかつ少なくとも１つのドアが開いた状態をドアセンサで検知すると、外気取り込み姿勢又は内気取り込み姿勢から前記中間姿勢に移行し、全ドアが閉じた状態を各ドアセンサで検知すると、前記切り換え弁が元の姿勢に戻るように制御される。
【００１１】
本願発明は多彩に展開できる。
【００１２】
例えば、駐車場等に自動車を駐車して人が自動車を離れる場合にドアを確実に閉じることは重要なので、車のキーを抜いてからも制御手段の電源はＯＮのままにして、全ドアが閉じるまではシステムを機能させる構成とすることができる。更に、複数のドアを同時に閉めることは稀なので、切り換え弁を半開きさせる条件として、１つのドアだけが開いて他のドアは閉じていることを前提にすることも可能である。
【発明の効果】
【００１３】
本願発明では、ドアの閉じ動に伴う空気流は送風ユニットを通さずに内気取り入れ口から外気取り入れ口を介して車外に向かうため、送風ユニットにフィルターが配置されていたり送風ユニットが駆動されていたりしても、流れ抵抗を著しく抑制した状態で空気を車外に押し出すことができる。このため、ドアの閉まり動の確実性を向上できる。
【００１４】
そして、従来から自動車に備わっているドアセンサ及びウインドーセンサ並びに空調装置を利用するものであり、特別に部材を付加する必要はないため、コストアップをもたらすこともない。ドアの閉じ動による空気流は送風ユニットの送風に影響しないため、空調装置を運転していても、空調機能には問題は生じない。
【図面の簡単な説明】
【００１５】
【図１】実施形態を示す図で、（Ａ）は自動車の概略平面図、（Ｂ）は制御装置を付加した状態での空調装置の平断面図である。
【図２】図１と同様で作用を示す図である。
【発明を実施するための形態】
【００１６】
次に、本願発明の実施形態を図面に基づいて説明する。図１，２とも、自動車と空調装置とを合わせて表示している。自動車はボデー１を備えており、ボデー１の内部は前後の座席を有する車内空間２になっており、車内空間２は、前後・左右合計４つのドア３で開閉される。各ドア３の開閉は、それぞれドアセンサ５によって検知される。
各ドア３は、モータで開閉されるパワーウインドーを備えており、各ウインドーの開閉はウインドーセンサで検知される。
【００１７】
車内空間２の前面部（ダッシュボード）には、空調装置４が埋め込み配置されている。空調装置４は、車外に開口した外気取り入れ口６と、車内空間２に開口した内気取り入れ口７と、外気取り入れ口６及び内気取り入れ口７に連通した中間室８と、中間室８から空気を吸引して車内空間２に放出する送風ユニット９とを備えている。
【００１８】
送風ユニット９はダクト１０で区画されており、ダクト１０は、中間室８に開口した入口１０ａと車内空間２に開口した出口１０ｂとを有していると共に、内部には、上流側から順に、モータ１１で駆動される送風ファン１２、冷房用熱交換ユニット１３、暖房用熱交換ユニット１４が配置されている。また、ダクト１０の出口１０ｂには、モータ等のアクチュエータ１５で駆動される蓋（ルーバ）１６を設けている。図示していないが、ダクト１０の内部にフィルターを配置することも多い。
【００１９】
そして、中間室８には、電動モータ等のアクチュエータ１７で駆動される回動式の切り換え弁１８が配置されており、切り換え弁１８を、内気取り入れ口７を完全に閉じた外気取り込み姿勢と外気取り入れ口６を完全に閉じた内気取り込み姿勢とに切り換えることにより、空気が外気取り入れ口６のみからダクト１０に流れる状態と、空気が内気取り入れ口７のみからダクト１０に流れる状態とに切り替わる。切り換え弁１８が外気取り込み姿勢と内気取り込み姿勢とのいずれにあるかは、開閉状態検知センサ１９，２０によって検知できる。
【００２０】
自動車は、ＣＰＵやメモリーなどが組み込まれた制御装置２１を設けており、各センサ５，１９，２０やモータ１１等の駆動部材は、制御装置２１に電気的に接続されている。キースイッチ２も制御装置２１に接続されている。なお、制御装置２１は既存のものが使用される（一般に、ＥＣＵ（エンジン・コントロール・ユニット）と一体化している。）。
【００２１】
以上の構成において、切り換え弁１７は、通常は外気取り込み姿勢か内気取り込み姿勢かのいずれかの姿勢になっており、センサ１９，２０によっていずれの姿勢であるかが確認されている。そして、自動車の停止時に、各ウインドーが閉じた状態で少なくとも１つのドア３が開くと、制御装置からアクチュエータ１６に駆動指令が出されることにより、切り換え弁１７は、外気取り込み姿勢と内気取り込み姿勢の間の中間姿勢（半開き姿勢）に移行する。
【００２２】
このため、１つのドア３のみが開いている状態からそのドア３を閉じ方向に急回動させた場合、車内の空気が内気取り入れ口７から外気取り入れ口６に速やかに逃げ移動し、これにより、車内の内圧が急激に高くなることを防止してドア３の閉じ機能を格段に向上できる。全てのドア３が閉じて全てのドアセンサ５がＯＮになったら、アクチュエータ１６に指令が出されて、切り換え弁１７は元の姿勢に復帰する。
【００２３】
複数のドア３が開いている場合は、最初のドア３の開きによって切り換え弁１７が半開き姿勢に移行し、全てのドア３が閉じ切ることで元の状態に復帰する。各ドア３のウインドーは一般にモータで開閉されるが、いずれかのウインドーが多少なりとも開いていると切り換え弁１７を操作しなくても空気は逃げるので、全てのウインドーセンサがＯＮになっていることを条件にして、ドア３の開きで切り換え弁１７が中間姿勢に移行する。
【産業上の利用可能性】
【００２４】
本願発明は、自動車に具体化できる。従って、産業上利用できる。
【符号の説明】
【００２５】
１  自動車のボデー
２  車内空間
３  ドア
４  空調装置
５  ドアセンサ
６  外気取り入れ口
７  内気取り入れ口
８  中間室
９  送風ユニット
１０  ダクト
１２  ファン
１３，１４  熱交換ユニット
１６  アクチュエータ
１７  切り換え弁
【図１】
0006351089.tif 000002
【図２】
0006351089.tif 000003